(57)【要約】【課題】  本発明は、静電気防止部材が具備された有機電界発光表示装置に関する。【解決手段】  本発明の有機電界発光表示装置は、下部絶縁基板１００上に形成された有機発光素子１１０と、有機発光素子１１０を封止するための上部絶縁基板１２０とを含み、有機発光素子１１０が形成された下部絶縁基板１００の外側面上に形成された静電気防止部材１４０を備える。【選択図】            図１Ａ
2005158698.tif 000002
【特許請求の範囲】
【請求項１】
下部絶縁基板上に形成された有機発光素子と、
前記有機発光素子を封止するための上部絶縁基板とを含み、
前記有機発光素子が形成された下部絶縁基板の外側面上に形成された静電気防止部材を備えることを特徴とする有機電界発光表示装置。
【請求項２】
前記静電気防止部材は、静電気防止コーティング膜であることを特徴とする、請求項１記載の有機電界発光表示装置。
【請求項３】
前記静電気防止コーティング膜は、表面抵抗が１０１２Ω／ｃｍ２以下であることを特徴とする、請求項２記載の有機電界発光表示装置。
【請求項４】
前記静電気防止コーティング膜は、導電性カーボン、金属パウダー、導電性ポリマーからなる群から選ばれる少なくとも一つの静電気防止コーティング剤を含む物質からなることを特徴とする、請求項２記載の有機電界発光表示装置。
【請求項５】
前記金属パウダーは、ＡＺＯであることを特徴とする、請求項４記載の有機電界発光表示装置。
【請求項６】
前記導電性ポリマーは、ポリチオフェン、ポリアニリンまたはポリフェリノ−ルであることを特徴とする、請求項４記載の有機電界発光表示装置。
【請求項７】
前記静電気防止部材は、帯電防止フィルムであることを特徴とする、請求項１記載の有機電界発光表示装置。
【請求項８】
前記帯電防止フィルムは、表面抵抗が１０１２Ω／ｃｍ２以下であることを特徴とする、請求項７記載の有機電界発光表示装置。
【請求項９】
前記帯電防止フィルムは、導電性カーボン、金属パウダー、導電性ポリマー、導電性オリゴマー、導電性モノマーからなる群から選ばれる少なくとも一つを含むフィルムであることを特徴とする、請求項７記載の有機電界発光表示装置。
【請求項１０】
前記帯電防止フィルムは、金属層を内蔵するフィルムであることを特徴とする、請求項７記載の有機電界発光表示装置。
【請求項１１】
前記静電気防止部材は、配線を通して外部に接地された静電気防止用金属膜であることを特徴とする、請求項１記載の有機電界発光表示装置。
【請求項１２】
下部絶縁基板上に有機発光素子を形成するステップと、
上部絶縁基板で前記有機発光素子を封止するステップと、
前記下部絶縁基板の外側面上に静電気防止金属膜を蒸着するステップとを含むことを特徴とする、有機電界発光表示装置の製造方法。
【請求項１３】
前記静電気防止金属膜は、プラズマを用いて蒸着することを特徴とする、請求項１２記載の有機電界発光表示装置の製造方法。
【発明の詳細な説明】
【技術分野】
【０００１】
本発明は、有機電界発光表示装置に関し、より詳細には、静電気防止部材が具備された有機電界発光表示装置に関する。
【背景技術】
【０００２】
一般に、有機電界発光表示装置は、電子注入電極と正孔注入電極から各々電子と正孔を発光層内部に注入させ、注入された電子と正孔が結合したエキシトン（励起子）が励起状態から基底状態に落ちる時、発光する素子である。
【０００３】
このような原理によって従来の薄膜液晶表示素子とは違い別途の光源を必要としないので、素子の体積と重さを減らすことができる長所がある。
【０００４】
前記有機電界発光表示装置を駆動する方式は、パッシブマトリックス型とアクティブマトリックス型に分けられる。
【０００５】
前記パッシブマトリックス型有機電界発光表示装置は、その構成が単純で、且つ製造方法もまた単純なものであるが、高い消費電力と表示素子の大面積化が難しく、配線の数が増加すればするほど開口率が低下されるという短所がある。
【０００６】
したがって、小型の表示素子に適用する場合には、前記パッシブマトリックス型有機電界発光表示装置を使用する反面、大面積の表示素子に適用する場合には、前記アクティブマトリックス型有機電界発光表示装置を使用する。
【０００７】
しかし、前記各有機電界発光表示装置を含む製品を完成するようになれば、前記有機電界発光表示装置の有機発光素子が形成された絶縁基板の外側面が外部に露出される形態となる。
【０００８】
このような場合には、摩擦などの外部の環境的要因により発生した静電気により、前記有機電界発光表示装置の各配線が断線される虞があり、画質不良及び有機発光素子の破壊が発生するという問題がある。また、アクティブマトリックス有機電界発光表示装置の場合には、前記有機発光素子を駆動させる薄膜トランジスターの破壊及び誤作動による画質不良を起こすという問題点がある。
【０００９】
前記問題点を解決するために、特許文献１では、有機電界発光表示装置の発光方向の基板にＩＴＯなどの透明な導電性物質層を形成して静電気を防止する構造を開示している。
【００１０】
しかし、前記ＩＴＯを静電気防止構造で使用することは、多数の熱処理工程が行われるアクティブマトリックス有機電界発光表示装置には適用するのが難しいという問題点がある。これは、熱処理工程で前記ＩＴＯの変性が発生してＩＴＯ膜に欠陥が生まれる場合があり、ＰＥＣＶＤのような真空プラズマ装備を汚染させる問題点があるためである。
【特許文献１】大韓民国公開特許２００３−００１１９８６号
【発明の開示】
【発明が解決しようとする課題】
【００１１】
したがって、本発明の目的は、前記従来技術の問題点を解決するためのものであって、本発明は、有機電界発光表示装置の有機発光素子が形成された基板の外側面に静電気防止部材を形成して静電気による配線の断線、画質不良及び有機発光素子の破壊を防止し、薄膜トランジスターの破壊及び誤作動による画質不良を改善した有機電界発光表示装置およびその製造方法を提供することを目的とする。
【課題を解決するための手段】
【００１２】
前記目的を達成するための本発明は、下部絶縁基板上に形成された有機発光素子と、前記有機発光素子を封止するための上部絶縁基板とを含み、前記有機発光素子が形成された下部絶縁基板の外側面上に形成された静電気防止部材を備える有機電界発光表示装置を提供することを特徴とする。
【００１３】
前記静電気防止部材は、静電気防止コーティング膜であり、前記静電気防止コーティング膜は、表面抵抗が１０１２Ω／ｃｍ２以下のものが望ましい。より望ましくは、前記静電気防止コーティング膜は、導電性カーボン、金属パウダー、導電性ポリマーからなる群から選ばれる少なくとも一つの静電気防止コーティング剤を含む物質からなり、前記金属パウダーは、ＡＺＯ（Ａｎｔｉｍｏｎｙ  Ｚｉｎｃ  Ｏｘｉｄｅ）、前記導電性ポリマーは、ポリチオフェン（ｐｏｌｙｔｈｉｏｐｈｅｎｅ）、ポリアニリンまたはポリフェリノ−ルであることが望ましい。
【００１４】
前記静電気防止部材は、帯電防止フィルムであり、前記帯電防止フィルムは、表面抵抗が１０１２Ω／ｃｍ２以下のものが望ましい。より望ましくは、前記帯電防止フィルムは、導電性カーボン、金属パウダー、導電性ポリマー、導電性オリゴマー、導電性モノマーからなる群から選ばれる少なくとも一つを含むフィルムまたは前記帯電防止フィルムは、金属層を内蔵するフィルムであることが望ましい。
【００１５】
前記静電気防止部材は、配線を通して外部に接地された静電気防止用金属膜であることが望ましい。
【００１６】
また、本発明は、下部絶縁基板上に有機発光素子を形成するステップと、上部絶縁基板で前記有機発光素子を封止するステップと、前記下部絶縁基板の外側面上に静電気防止金属膜を蒸着するステップとを含む有機電界発光表示装置の製造方法を提供することを特徴とする。
【００１７】
前記静電気防止金属膜は、プラズマを用いて蒸着することが望ましい。
【発明の効果】
【００１８】
本発明によれば、本発明は、有機電界発光表示装置の有機発光素子が形成された絶縁基板の外側面上に静電気防止部材を形成することによって、摩擦などの外部環境要因により発生する静電気を防止して有機電界発光表示装置配線の断線、画質不良及び有機発光素子の破壊を防止した有機電界発光表示装置を提供できる。
【発明を実施するための最良の形態】
【００１９】
以下、本発明の実施例を添付の図面を参照して説明すれば、次の通りである。
【００２０】
図１Ａ及び図１Ｂは、本発明の好適な実施例に係る有機電界発光表示装置の断面構造を説明する図面である。本発明の好適な実施例に係る有機電界発光表示装置は、有機発光素子が形成された絶縁基板外側面に静電気防止部材が形成された構造を持つ。
【００２１】
図１Ａ及び図１Ｂを参照すれば、薄膜トランジスターが形成されている下部絶縁基板１００上に有機発光素子１１０を形成する。
【００２２】
この際、前記有機発光素子１１０は、第１電極、有機発光層、第２電極からなり、前記第１電極がアノード電極に作用する場合には、第２電極がカソード電極に作用し、前記第１電極がカソード電極に作用する場合には、第２電極がアノード電極に作用する。
【００２３】
また、前記有機発光層は、その機能によって様々な層で構成されることができるが、一般に、発光層を含んで正孔注入層（ＨＩＬ）、正孔伝達層（ＨＴＬ）、正孔阻止層（ＨＢＬ）、電子輸送層（ＥＴＬ）、電子注入層（ＥＩＬ）のうち、少なくとも一つ以上の層を含む多層構造からなる。
【００２４】
前記有機発光素子１１０を形成した後、シールラント１３０を用いて上部絶縁基板１２０で前記有機発光素子１１０を封止する。
【００２５】
次に、前記下部絶縁基板１００の外側面上に静電気防止部材１４０を形成する。
【００２６】
前記静電気防止部材１４０は、前記下部絶縁基板１００の外側面上に形成された静電気防止コーティング膜、帯電防止フィルム、配線を通して外部に接地された静電気防止用金属膜１４１であることが望ましい。
【００２７】
前記静電気防止部材１４０として、前記静電気防止コーティング膜は、図１Ａに示されたように、前記下部絶縁基板１００の外側面上に形成され、導電性カーボンや金属パウダー、導電性ポリマーのような静電気防止コーティング剤を含む物質からなることが望ましい。
【００２８】
この際、前記静電気防止コーティング膜に使われる静電気防止コーティング剤の中、金属パウダーは、ＡＺＯ（Ａｎｔｉｍｏｎｙ  Ｚｉｎｃ  Ｏｘｉｄｅ）であり、前記導電性ポリマーは、ポリチオフェン、ポリアニリンまたはポリフェリノ−ルのような導電性ポリマーであることが望ましい。
【００２９】
また、前記静電気防止部材１４０として、前記帯電防止フィルムは、図１Ａに示されたように、前記下部絶縁基板１００の外側面上に形成され、導電性カーボンや金属パウダー、導電性ポリマー、導電性オリゴマー、導電性モノマーなどを含むフィルムであったり、金属層を内蔵するフィルムが望ましい。
【００３０】
前記帯電防止フィルムの基材として合成樹脂フィルム（プラスチックフィルム）が利用され、ＰＥ、ＰＥＴ、ＰＶＣ、ＰＶＡ、ＰＭＭＡ、ＰＣ、ＰＰ、ＰＳ、ＡＢＳ等のように帯電防止フィルムに常用されるのを利用できる。
【００３１】
前記静電気防止部材１４０として、前記静電気防止コーティング膜や前記帯電防止フィルムの場合、表面抵抗が１０１２Ω／ｃｍ２以下のものが表面の静電気発生を抑制するのに望ましい。
【００３２】
また、前記静電気防止部材１４０として、前記静電気防止用金属膜１４１は、図１Ｂに示されたように、前記下部絶縁基板１００の外側面上に所定の導電性金属を蒸着して形成されたのである。この際、前記静電気防止金属膜１４１は、プラズマを用いて蒸着することが望ましい。また、前記静電気防止金属膜１４１は、配線１４５を通して外部に接地することが望ましい。
【００３３】
また、前記下部絶縁基板１００の外側面上に偏光板または偏光フィルム（図面には不図示）が形成されている場合には、前記偏光板または偏光フィルム上に静電気防止部材１４０を形成できる。
【００３４】
前述のように、前記下部絶縁基板１００の外側面上に静電気防止部材１４０を形成することは、摩擦などの外部的な要因によって発生する静電気が直接的に影響を及ぼす各種配線及び有機電界発光表示装置を駆動させる薄膜トランジスターが前記下部絶縁基板１００上に形成されるためである。また、前記上部絶縁基板１２０は、有機発光素子１１０を備える下部絶縁基板１００とある程度の距離を置いて位置するので、上部絶縁基板１２０上に静電気防止部材１４０を形成することより、前記下部絶縁基板１００の外側面上に静電気防止部材１４０を形成することがより効果的である。
【００３５】
前述のような有機電界発光表示装置は、前記有機電界発光表示装置の製造工程の中、または製品が完成された後、外部的な要因により発生する静電気を防止できる。したがって、静電気による有機電界発光表示装置の配線断線、画質低下及び発光素子の破壊を防止できる。
【００３６】
また、薄膜トランジスターの破壊及び誤作動による画質不良を防止できる。
【００３７】
以上、本発明の好適な実施例を参照して説明したが、該当技術分野の熟練された当業者は、下記の特許請求範囲に記載された本発明の思想及び領域から外れない範囲内で本発明を多様に修正及び変更させることができることが分かる。
【図面の簡単な説明】
【００３８】
【図１Ａ】本発明の好適な実施例に係る有機電界発光表示装置を説明する断面図である。
【図１Ｂ】本発明の好適な実施例に係る有機電界発光表示装置を説明する断面図である。
【符号の説明】
【００３９】
１００…下部絶縁基板、
１１０…有機発光素子、
１２０…上部絶縁基板、
１３０…シールラント、
１４０…静電気防止部材。
【図１Ａ】
2005158698.tif 000003
【図１Ｂ】
2005158698.tif 000004